【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
可変表示の始動条件が成立したことに基づいて各々が識別可能な複数種類の識別情報を可変表示する可変表示装置を備え、識別情報の表示結果が予め定められた特定表示結果となったときに遊技者にとって有利な特定遊技状態に制御する遊技機であって、
前記識別情報の表示結果が特定表示結果となるか否かを当該表示結果が導出表示される以前に判定する事前判定手段と、
前記可変表示装置における識別情報の表示態様がリーチ表示態様となるか否かを識別情報の可変表示が開始される以前に判定するリーチ判定手段と、
前記リーチ判定手段により識別情報の表示態様がリーチ表示態様となる旨の判定がなされたときに、当該リーチ表示態様となる前にリーチ表示態様となる旨の予告演出を行うか否かを決定する予告決定手段と、
予告演出を行う際の予告演出態様を示す予告演出パターンとして、第１の予告表示のみを出現させる第１の予告演出態様を示す第１予告演出パターンと、第１の予告表示を行った後に第２の予告表示を出現させる第２の予告演出態様を示す第２予告演出パターンとが含まれる複数種類の予告演出パターンを格納する予告演出パターン格納手段と、
前記予告決定手段により予告演出を実行する旨の決定がなされたときに、前記予告演出パターン格納手段に格納されている複数種類の予告演出パターンからいずれかを選択決定する予告演出態様選択手段と、
前記可変表示装置における識別情報の表示態様をリーチ表示態様とする際に使用されるリーチ表示パターンを複数種類格納するリーチパターン格納手段と、
前記予告演出態様選択手段によって選択決定された予告演出パターンに基づいて前記リーチパターン格納手段に格納されている複数種類のリーチ表示パターンからいずれかを選択決定するリーチ選択手段と、
前記第２予告演出パターンが選択決定されるときには、前記第１予告演出パターンが選択決定されるときと比較して前記特定表示結果となる確率が高くなるように、前記予告演出態様選択手段による選択決定に用いられる決定用データが各予告演出パターンに割り振られている予告決定用データテーブルと、
複数種類のリーチ表示パターンのうちに、前記第１予告演出パターン及び前記第２予告演出パターンのいずれが選択決定されたときにも選択可能な共通リーチ表示パターンと、前記第２予告演出パターンが選択決定されたときのみ選択可能な固有リーチ表示パターンとが含まれ、前記共通リーチ表示パターンが選択決定されるか前記固有リーチ表示パターンが選択決定されるかに応じて前記特定表示結果となる確率が異なるように、前記リーチ選択手段による選択決定に用いられる決定用データが各リーチ表示パターンに割り振られているリーチ決定用データテーブルと、
前記可変表示装置における識別情報の可変表示中に、前記予告演出態様選択手段により選択決定された予告演出パターンに示される予告演出態様で予告演出を行った後、識別情報の表示態様を前記リーチ選択手段により選択決定されたリーチ表示パターンに示されるリーチ表示態様とする演出表示制御手段、とを備え、
前記予告演出態様選択手段は、前記予告決定用データテーブルを用いて予告演出パターンを選択決定し、
前記リーチ選択手段は、前記リーチ決定用データテーブルを用いて、前記予告演出態様選択手段によって選択決定された予告演出パターンが前記第１予告演出パターンであるか前記第２予告演出パターンであるかに応じたリーチ表示パターンを選択決定する、
ことを特徴とする遊技機。
【請求項２】
可変表示の始動条件が成立したことに基づいて各々が識別可能な複数種類の識別情報を可変表示する可変表示装置を備え、識別情報の表示結果が予め定められた特定表示結果となったときに遊技者にとって有利な特定遊技状態に制御する遊技機であって、
前記識別情報の表示結果が特定表示結果となるか否かを当該表示結果が導出表示される以前に判定する事前判定手段と、
前記可変表示装置における識別情報の表示態様がリーチ表示態様となるか否かを識別情報の可変表示が開始される以前に判定するリーチ判定手段と、
前記リーチ判定手段により識別情報の表示態様がリーチ表示態様となる旨の決定がなされたときに、当該リーチ表示態様となる前にリーチ表示態様となる旨の予告演出を行うか否かを決定する予告決定手段と、
前記可変表示装置における識別情報の表示態様をリーチ表示態様とする際に使用されるリーチ表示パターンを複数種類格納するリーチパターン格納手段と、
前記リーチ判定手段によってリーチ表示態様となる旨の判定がなされたときに、前記リーチパターン格納手段に格納されている複数種類のリーチ表示パターンからいずれかを選択決定するリーチ選択手段と、
予告演出を行う際の予告演出態様を示す予告演出パターンとして、第１の予告表示のみを出現させる第１の予告演出態様を示す第１予告演出パターンと、第１の予告表示を行った後に第２の予告表示を出現させる第２の予告演出態様を示す第２予告演出パターンとが含まれる複数種類の予告演出パターンを格納する予告演出パターン格納手段と、
前記予告決定手段により予告演出を実行する旨の決定がなされたときに、前記リーチ選択手段によって選択決定されたリーチ表示パターンに基づいて前記予告演出パターン格納手段に格納されている複数種類の予告演出パターンからいずれかを選択決定する予告演出態様選択手段と、
複数種類のリーチ表示パターンのうちに、前記第１予告演出パターン及び前記第２予告演出パターンのいずれも選択可能な共通リーチ表示パターンと、前記第２予告演出パターンのみが選択可能な固有リーチ表示パターンとが含まれ、前記共通リーチ表示パターンが選択決定されるか前記固有リーチ表示パターンが選択決定されるかに応じて前記特定表示結果となる確率が異なるように、前記リーチ選択手段による選択決定に用いられる決定用データが各リーチ表示パターンに割り振られているリーチ決定用データテーブルと、
前記第２予告演出パターンが選択決定されるときには、前記第１予告演出パターンが選択決定されるときと比較して前記特定表示結果となる確率が高くなるように、前記予告演出態様選択手段による選択決定に用いられる決定用データが各予告演出パターンに割り振られている予告決定用データテーブルと、
前記可変表示装置における識別情報の可変表示中に、前記予告演出態様選択手段により選択決定された予告演出パターンに示される予告演出態様で予告演出を行った後、識別情報の表示態様を前記リーチ選択手段により選択決定されたリーチ表示パターンに示されるリーチ表示態様とする演出表示制御手段、とを備え、
前記リーチ選択手段は、前記リーチ決定用データテーブルを用いてリーチ表示パターンを選択決定し、
前記予告演出態様選択手段は、前記予告決定用データテーブルを用いて、前記リーチ選択手段によって選択決定されたリーチ表示パターンが前記共通リーチ表示パターンであるか前記固有リーチ表示パターンであるかに応じた予告演出パターンを選択決定する、
ことを特徴とする遊技機。
【手続補正２】
【補正対象書類名】明細書
【補正対象項目名】０００９
【補正方法】変更
【補正の内容】
【０００９】
上記目的を達成するため、本願の請求項１に記載の遊技機は、可変表示の始動条件（例えば普通可変入賞球装置６への入賞の後に可変表示装置４における前回の可変表示及び大当り遊技状態が終了したこと）が成立したことに基づいて各々が識別可能な複数種類の識別情報を可変表示する可変表示装置（例えば可変表示装置４）を備え、識別情報の表示結果が予め定められた特定表示結果（例えば大当りの停止図柄態様）となったときに遊技者にとって有利な特定遊技状態（例えば大当り遊技状態）に制御する遊技機（例えばパチンコ遊技機１）であって、前記識別情報の表示結果が特定表示結果となるか否かを当該表示結果が導出表示される以前に判定する事前判定手段（例えばＣＰＵ１０３がステップＳ２０４の大当り判定処理を実行する部分など）と、前記可変表示装置における識別情報の表示態様がリーチ表示態様となるか否かを識別情報の可変表示が開始される以前に判定するリーチ判定手段（例えばＣＰＵ１０３がステップＳ１１１の確定特別図柄設定処理を実行する部分など）と、前記リーチ判定手段により識別情報の表示態様がリーチ表示態様となる旨の判定がなされたときに、当該リーチ表示態様となる前にリーチ表示態様となる旨の予告演出を行うか否かを決定する予告決定手段（例えばＣＰＵ１０３がステップＳ１１２の可変表示設定処理を実行する部分など）と、予告演出を行う際の予告演出態様（例えば、予告Ａ、予告Ｂ、予告Ｃ、予告Ｄ）を示す予告演出パターンとして、第１の予告表示のみを出現させる第１の予告演出態様（例えば予告Ａ）を示す第１予告演出パターンと、第１の予告表示を行った後に第２の予告表示を出現させる第２の予告演出態様（例えば第１の予告演出態様を予告Ａとしたときの予告Ｂ、予告Ｃ、予告Ｄ）を示す第２予告演出パターンとが含まれる複数種類の予告演出パターンを格納する予告演出パターン格納手段（例えば予告パターンテーブル１４８及び表示制御パターンメモリ１３１など）と、前記予告決定手段により予告演出を実行する旨の決定がなされたときに、前記予告演出パターン格納手段に格納されている複数種類の予告演出パターンからいずれかを選択決定する予告演出態様選択手段（例えばＣＰＵ１０３がステップＳ２４８、Ｓ２５４の処理を実行する部分、及びＣＰＵ１１２がステップＳ４０６の処理を実行する部分など）と、前記可変表示装置における識別情報の表示態様をリーチ表示態様とする際に使用されるリーチ表示パターン（例えばリーチＡ〜リーチＧ）を複数種類格納するリーチパターン格納手段（例えば可変表示パターンテーブル１４７など）と、前記予告演出態様選択手段によって選択決定された予告演出パターンに基づいて前記リーチパターン格納手段に格納されている複数種類のリーチ表示パターンからいずれかを選択決定するリーチ選択手段（例えばＣＰＵ１０３がステップＳ２５２、Ｓ２５７の処理を実行する部分など）と、前記第２予告演出パターンが選択決定されるときには、前記第１予告演出パターンが選択決定されるときと比較して前記特定表示結果となる確率が高くなるように、前記予告演出態様選択手段による選択決定に用いられる決定用データ（例えばランダムＲ６の値）が各予告演出パターンに割り振られている予告決定用データテーブル（例えばリーチハズレ時予告パターン決定用テーブル１４９、大当り時予告パターン決定用テーブル１５０）と、複数種類のリーチ表示パターンのうちに、前記第１予告演出パターン及び前記第２予告演出パターンのいずれが選択決定されたときにも選択可能な共通リーチ表示パターンと、前記第２予告演出パターンが選択決定されたときのみ選択可能な固有リーチ表示パターンとが含まれ、前記共通リーチ表示パターンが選択決定されるか前記固有リーチ表示パターンが選択決定されるかに応じて前記特定表示結果となる確率が異なるように、前記リーチ選択手段による選択決定に用いられる決定用データ（例えばランダムＲ３の値）が各リーチ表示パターンに割り振られているリーチ決定用データテーブル（例えばリーチハズレ時可変表示パターン決定用テーブル１５１、大当り時可変表示パターン決定用テーブル１５２）と、前記可変表示装置における識別情報の可変表示中に、前記予告演出態様選択手段により選択決定された予告演出パターンに示される予告演出態様で予告演出（例えば図１４（Ａ）〜（Ｃ）、図１５に示すような予告表示）を行った後、識別情報の表示態様を前記リーチ選択手段により選択決定されたリーチ表示パターン（例えばリーチＡ〜リーチＧの可変表示パターン）に示されるリーチ表示態様とする演出表示制御手段（例えばＣＰＵ１１２及びＧＣＬ１１５など）、とを備え、前記予告演出態様選択手段は、前記予告決定用データテーブルを用いて予告演出パターンを選択決定し、前記リーチ選択手段は、前記リーチ決定用データテーブルを用いて、前記予告演出態様選択手段によって選択決定された予告演出パターンが前記第１予告演出パターンであるか前記第２予告演出パターンであるかに応じたリーチ表示パターンを選択決定する。
【手続補正３】
【補正対象書類名】明細書
【補正対象項目名】００１０
【補正方法】変更
【補正の内容】
【００１０】
請求項１に記載の構成によれば、リーチ選択手段は、予告演出態様選択手段によって第１予告演出パターン及び第２予告演出パターンのいずれが選択決定されたときにも選択可能な共通リーチ表示パターンと、第２予告演出パターンが選択決定されたときのみ選択可能な固有リーチ表示パターンとが含まれ、共通リーチ表示パターンが選択決定されるか固有リーチ表示パターンが選択決定されるかに応じて特定表示結果となる確率が異なるように、決定用データが各リーチ表示パターンに割り振られているリーチ決定用データテーブルを用いて、予告演出態様選択手段によって選択決定された予告演出パターンに応じたリーチ表示パターンを選択決定する。これにより、予告演出パターンに対応して複数のリーチ表示パターンのいずれかを選択決定することができ、さらに、予告演出とリーチ表示態様との関係が単調となることなく、変化に富んだ予告演出表示が可能となる。また、予告演出の表示態様からリーチ表示態様を予想することが困難になるため、どのようなリーチ表示態様となるかに対する期待感が高められ、遊技興趣を向上することができる。そして、予告演出態様選択手段によって選択決定された予告演出パターンが第１予告演出パターンであるか第２予告演出パターンであるかや、リーチ選択手段によって選択決定されたリーチ表示パターンが共通リーチ表示パターンであるか固有リーチ表示パターンであるかに応じて特定表示結果となる確率が異なるものとなるので、第１の予告演出態様と第２の予告演出態様のいずれとなるかやリーチ表示態様に対する遊技者の期待感がそれぞれに高められ、遊技興趣を向上することができる。加えて、第２予告演出パターンが選択決定されたときのみ選択可能な固有リーチ表示パターンによるリーチ表示態様の発生頻度は低くなる。こうした発生頻度の低いリーチ表示態様は、特定表示結果となる確率が高いものと認識されることが多いので、特定表示結果に対する遊技者の期待感が高められ、遊技興趣を向上することができる。
【手続補正４】
【補正対象書類名】明細書
【補正対象項目名】００１１
【補正方法】変更
【補正の内容】
【００１１】
また、本願の請求項２に記載の遊技機は、可変表示の始動条件（例えば普通可変入賞球装置６への入賞の後に可変表示装置４における前回の可変表示及び大当り遊技状態が終了したこと）が成立したことに基づいて各々が識別可能な複数種類の識別情報を可変表示する可変表示装置（例えば可変表示装置４）を備え、識別情報の表示結果が予め定められた特定表示結果（例えば大当りの停止図柄態様）となったときに遊技者にとって有利な特定遊技状態（例えば大当り遊技状態）に制御する遊技機（例えばパチンコ遊技機１）であって、前記識別情報の表示結果が特定表示結果となるか否かを当該表示結果が導出表示される以前に判定する事前判定手段（例えばＣＰＵ１０３がステップＳ２０４の大当り判定処理を実行する部分など）と、前記可変表示装置における識別情報の表示態様がリーチ表示態様となるか否かを識別情報の可変表示が開始される以前に判定するリーチ判定手段（例えばＣＰＵ１０３がステップＳ１１１の確定特別図柄設定処理を実行する部分など）と、前記リーチ判定手段により識別情報の表示態様がリーチ表示態様となる旨の決定がなされたときに、当該リーチ表示態様となる前にリーチ表示態様となる旨の予告演出を行うか否かを決定する予告決定手段（例えばＣＰＵ１０３がステップＳ１１２の可変表示設定処理を実行する部分など）と、前記可変表示装置における識別情報の表示態様をリーチ表示態様とする際に使用されるリーチ表示パターン（例えばリーチＡ〜リーチＧ）を複数種類格納するリーチパターン格納手段（例えば可変表示パターンテーブル１４７など）と、前記リーチ判定手段によってリーチ表示態様となる旨の判定がなされたときに、前記リーチパターン格納手段に格納されている複数種類のリーチ表示パターンからいずれかを選択決定するリーチ選択手段（例えばＣＰＵ１０３がステップＳ２５２、Ｓ２５９の処理を実行する部分など）と、予告演出を行う際の予告演出態様（例えば、予告Ａ、予告Ｂ、予告Ｃ、予告Ｄ）を示す予告演出パターンとして、第１の予告表示のみを出現させる第１の予告演出態様（例えば予告Ａ）を示す第１予告演出パターンと、第１の予告表示を行った後に第２の予告表示を出現させる第２の予告演出態様（例えば第１の予告演出態様を予告Ａとしたときの予告Ｂ、予告Ｃ、予告Ｄ）を示す第２予告演出パターンとが含まれる複数種類の予告演出パターンを格納する予告演出パターン格納手段（例えば表示制御パターンメモリ１３１など）と、前記予告決定手段により予告演出を実行する旨の決定がなされたときに、前記リーチ選択手段によって選択決定されたリーチ表示パターンに基づいて前記予告演出パターン格納手段に格納されている複数種類の予告演出パターンからいずれかを選択決定する予告演出態様選択手段（例えばＣＰＵ１０３がステップＳ２４８、Ｓ２５４の処理を実行する部分、及びＣＰＵ１１２がステップＳ４０６の処理を実行する部分など）と、複数種類のリーチ表示パターンのうちに、前記第１予告演出パターン（例えば予告Ｂ）及び前記第２予告演出パターン（例えば第１の予告演出態様を予告Ｂとしたときの予告Ｃ）のいずれも選択可能な共通リーチ表示パターン（例えばリーチＢ）と、前記第２予告演出パターンのみが選択可能な固有リーチ表示パターン（例えばリーチＡ）とが含まれ、前記共通リーチ表示パターンが選択決定されるか前記固有リーチ表示パターンが選択決定されるかに応じて前記特定表示結果となる確率が異なるように、前記リーチ選択手段による選択決定に用いられる決定用データが各リーチ表示パターンに割り振られているリーチ決定用データテーブル（例えばリーチハズレ時可変表示パターン決定用テーブル１５１、大当り時可変表示パターン決定用テーブル１５２）と、前記第２予告演出パターンが選択決定されるときには、前記第１予告演出パターンが選択決定されるときと比較して前記特定表示結果となる確率が高くなるように、前記予告演出態様選択手段による選択決定に用いられる決定用データ（例えばランダムＲ１１の値）が各予告演出パターンに割り振られている予告決定用データテーブル（例えば予告パターン決定用テーブル１６１）と、前記可変表示装置における識別情報の可変表示中に、前記予告演出態様選択手段により選択決定された予告演出パターンに示される予告演出態様で予告演出を行った後、識別情報の表示態様を前記リーチ選択手段により選択決定されたリーチ表示パターンに示されるリーチ表示態様とする演出表示制御手段（例えばＣＰＵ１１２及びＧＣＬ１１５など）、とを備え、前記リーチ選択手段は、前記リーチ決定用データテーブルを用いてリーチ表示パターンを選択決定し、前記予告演出態様選択手段は、前記予告決定用データテーブルを用いて、前記リーチ選択手段によって選択決定されたリーチ表示パターンが前記共通リーチ表示パターンであるか前記固有リーチ表示パターンであるかに応じた予告演出パターンを選択決定する。
【手続補正５】
【補正対象書類名】明細書
【補正対象項目名】００１２
【補正方法】変更
【補正の内容】
【００１２】
請求項２に記載の構成によれば、複数種類のリーチ表示パターンのうちに、第１予告演出パターン及び第２予告演出パターンのいずれも選択可能な共通リーチ表示パターンと、第２予告演出パターンのみが選択可能な固有リーチ表示パターンとが含まれ、予告演出態様選択手段は、第２予告演出パターンが選択決定されるときには、第１予告演出パターンが選択決定されるときと比較して前記特定表示結果となる確率が高くなるように、決定用データが各予告演出パターンに割り振られている予告決定用データテーブルを用いて、リーチ選択手段により選択決定されたリーチ表示パターンに応じて予告演出パターンを選択決定する。これにより、リーチ表示パターンに対応して複数種類の予告演出態様のいずれかを予告演出パターンとして選択決定することができ、さらに、リーチ表示パターンに応じて予告演出態様を異ならせることができるので、予告演出とリーチ表示態様との関係が単調となることなく、多様な予告演出表示が可能となる。また、予告演出の表示態様からリーチ表示態様を予想することが困難になるため、どのようなリーチ表示態様となるかに対する期待感が高められ、遊技興趣を向上することができる。そして、予告演出態様選択手段によって選択決定された予告演出パターンが第１予告演出パターンであるか第２予告演出パターンであるかや、リーチ選択手段によって選択決定されたリーチ表示パターンが共通リーチ表示パターンであるか固有リーチ表示パターンであるかに応じて特定表示結果となる確率が異なるものとなるので、第１の予告演出態様と第２の予告演出態様のいずれとなるかやリーチ表示態様に対する遊技者の期待感がそれぞれに高められ、遊技興趣を向上することができる。加えて、第２の予告演出態様となったときでも、共通リーチ表示パターンであるか固有リーチ表示パターンであるかによって特定表示結果となる確率が異なるリーチ表示態様とするので、どのようなリーチ表示態様になるかということに対する遊技者の期待感が高められ、遊技興趣を向上することができる。
【手続補正６】
【補正対象書類名】明細書
【補正対象項目名】００１３
【補正方法】変更
【補正の内容】
【００１３】
なお、請求項２に記載の構成において、前記リーチ決定用データテーブルは、前記事前判定手段によって前記特定表示結果となる旨の判定がなされたときに、前記リーチ選択手段によって前記特定表示結果となるリーチ表示パターンを選択可能とする特定リーチ決定用データテーブル（例えば大当り時可変表示パターン決定用テーブル１５２）と、前記事前判定手段によって前記特定表示結果とはならない旨の判定がなされたときに、前記リーチ選択手段によって前記特定表示結果とならないリーチ表示パターンを選択可能とする通常リーチ決定用データテーブル（例えばリーチハズレ時可変表示パターン決定用テーブル１５１）、とを含み、前記特定リーチ決定用データテーブルと前記通常リーチ決定用データテーブルはそれぞれ、前記演出表示制御手段によるリーチ表示態様に応じて前記特定表示結果となる割合が異なるように、前記リーチ選択手段による選択決定に用いられる決定用データが各リーチ表示パターンに割り振られ、前記リーチ選択手段は、前記事前判定手段による前記特定表示結果とするか否かの判定結果に応じて前記特定リーチ決定用データテーブルと前記通常リーチ決定用データテーブルのいずれかを選択決定し（例えばＣＰＵ１０３はステップＳ２４９にてリーチハズレ時可変表示パターン決定用テーブル１５１を選択決定し、ステップＳ２５６にて大当り時可変表示パターン決定用テーブル１５２を選択決定する）、当該選択決定された前記特定リーチ決定用データテーブルまたは前記通常リーチ決定用データテーブルを用いて、リーチ表示パターンを選択決定してもよい。さらに、複数種類のリーチ表示パターンには、前記予告演出態様選択手段によって選択可能な予告演出パターンが前記第２の予告演出態様のみとなるリーチ表示パターン（例えばリーチＢ〜リーチＧの可変表示パターン）が含まれるように、前記予告演出態様選択手段による選択決定に用いられる決定用データが各予告演出パターンに割り振られている予告決定用データテーブルを含んでいてもよい。予告演出パターンとして前記第１の予告演出態様が実行された後に実行可能なリーチ表示パターンの種類の数と比較して、前記第２の予告演出態様が実行された後に実行可能なリーチ表示パターンの種類の数の方が多いことが望ましい。予告演出パターンとして前記第２の予告演出態様が実行された後に実行可能なリーチ表示パターンには、特定表示結果となる確率が互いに異なるリーチ表示パターンが含まれていてもよい。また、前記第１の予告演出態様（例えば予告Ｂ）または前記第２の予告演出態様（例えば第１の予告演出を予告Ｂとしたときの予告Ｃ）のみが選択可能なリーチ表示パターン（例えばリーチＣ）が実行されるときに実行可能な予告演出パターンの種類の数（例えば予告Ｃのみ）と比較して、前記第１の予告演出態様及び前記第２の予告演出態様のいずれも選択可能なリーチ表示パターン（例えばリーチＢ）が実行されるときに実行可能な予告演出パターンの種類の数（例えば予告Ｂと予告Ｃ）の方が多いことが望ましい。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００２０
【補正方法】変更
【補正の内容】
【００２０】
請求項１に記載した構成の遊技機によればリーチ選択手段は、予告演出態様選択手段によって第１予告演出パターン及び第２予告演出パターンのいずれが選択決定されたときにも選択可能な共通リーチ表示パターンと、第２予告演出パターンが選択決定されたときのみ選択可能な固有リーチ表示パターンとが含まれ、共通リーチ表示パターンが選択決定されるか固有リーチ表示パターンが選択決定されるかに応じて特定表示結果となる確率が異なるように、決定用データが各リーチ表示パターンに割り振られているリーチ決定用データテーブルを用いて、予告演出態様選択手段によって選択決定された予告演出パターンに応じたリーチ表示パターンを選択決定する。これにより、予告演出パターンに対応して複数のリーチ表示パターンのいずれかを選択決定することができ、さらに、予告演出とリーチ表示態様との関係が単調となることなく、変化に富んだ予告演出表示が可能となる。また、予告演出の表示態様からリーチ表示態様を予想することが困難になるため、どのようなリーチ表示態様となるかに対する期待感が高められ、遊技興趣を向上することができる。そして、予告演出態様選択手段によって選択決定された予告演出パターンが第１予告演出パターンであるか第２予告演出パターンであるかや、リーチ選択手段によって選択決定されたリーチ表示パターンが共通リーチ表示パターンであるか固有リーチ表示パターンであるかに応じて特定表示結果となる確率が異なるものとなるので、第１の予告演出態様と第２の予告演出態様のいずれとなるかやリーチ表示態様に対する遊技者の期待感がそれぞれに高められ、遊技興趣を向上することができる。また、予告演出態様選択手段によって選択決定された予告演出パターンが第２予告演出パターンであるときのみ選択可能な固有リーチ表示パターンによるリーチ表示態様の発生頻度は低くなる。こうした発生頻度の低いリーチ表示態様は、特定表示結果となる確率が高いものと認識されることが多いので、特定表示結果に対する遊技者の期待感が高められ、遊技興趣を向上することができる。
【手続補正１３】
【補正対象書類名】明細書
【補正対象項目名】００２１
【補正方法】変更
【補正の内容】
【００２１】
請求項２に記載の遊技機においては、複数種類のリーチ表示パターンのうちに、第１予告演出パターン及び第２予告演出パターンのいずれも選択可能な共通リーチ表示パターンと、第２予告演出パターンのみが選択可能な固有リーチ表示パターンとが含まれ、予告演出態様選択手段は、第２予告演出パターンが選択決定されるときには、第１予告演出パターンが選択決定されるときと比較して前記特定表示結果となる確率が高くなるように、決定用データが各予告演出パターンに割り振られている予告決定用データテーブルを用いて、リーチ選択手段により選択決定されたリーチ表示パターンに応じて予告演出パターンを選択決定する。これにより、リーチ表示パターンに対応して複数種類の予告演出態様のいずれかを予告演出パターンとして選択決定することができ、さらに、リーチ表示パターンに応じて予告演出態様を異ならせることができるので、予告演出とリーチ表示態様との関係が単調となることなく、多様な予告演出表示が可能となる。また、予告演出の表示態様からリーチ表示態様を予想することが困難になるため、どのようなリーチ表示態様となるかに対する期待感が高められ、遊技興趣を向上することができる。そして、予告演出態様選択手段によって選択決定された予告演出パターンが第１予告演出パターンであるか第２予告演出パターンであるかや、リーチ選択手段によって選択決定されたリーチ表示パターンが共通リーチ表示パターンであるか固有リーチ表示パターンであるかに応じて特定表示結果となる確率が異なるものとなるので、第１の予告演出態様と第２の予告演出態様のいずれとなるかやリーチ表示態様に対する遊技者の期待感がそれぞれに高められ、遊技興趣を向上することができる。また、予告演出態様選択手段によって選択決定された予告演出パターンが第２予告演出パターンであるときにリーチ選択手段によって選択可能な複数種類のリーチ表示パターンには、特定表示結果となる確率が互いに異なる共通リーチ表示パターンと固有リーチ表示パターンとが含まれるので、どのようなリーチ表示態様になるかということに対する遊技者の期待感が高められ、遊技興趣を向上することができる。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】